(57)【要約】【課題】連する２つのデータ間の関係における変化が、より観察および分析し易い状態とする。【解決手段】グラフ作成部１０３は、範囲設定部１０２に設定された複数の範囲におけるデータ取得部１０１が取得した複数の第１変数および複数の第２変数の組の各々より、複数の２変量ヒストグラムを作成する。グラフ作成部１０３は、設定されている各格子の中に第１変数および第２変数が存在する頻度を算出し、２変量ヒストグラム用のデータを生成する。【選択図】  図３
2018040612.tif 000002
【特許請求の範囲】
【請求項１】
測定された測定値より得られる複数の第１変数および複数の第２変数を取得するデータ取得部と、
各々異なる複数の範囲が設定される範囲設定部と、
前記範囲設定部に設定された複数の範囲における前記データ取得部が取得した複数の第１変数および複数の第２変数の組の各々より、複数の２変量ヒストグラムを作成するグラフ作成部と、
前記グラフ作成部が作成した複数の２変量ヒストグラムを各々個別に表示部に表示する表示制御部と
を備えることを特徴とするデータ表示装置。
【請求項２】
請求項１記載のデータ表示装置において、
前記第１変数および前記第２変数は、設定された時間間隔で測定された値より得られ、
前記範囲設定部は、各々異なる複数の時間帯を設定する
ことを特徴とするデータ表示装置。
【請求項３】
請求項１記載のデータ表示装置において、
前記第１変数および前記第２変数は、測定対象の空間を区画した複数の領域の各々において測定された第１の物理量および第２の物理量であり、
前記範囲設定部は、複数の前記領域からなる前記空間内の一部領域を前記範囲として設定する
ことを特徴とするデータ表示装置。
【請求項４】
請求項１〜３のいずれか１項に記載のデータ表示装置において、
前記表示制御部は、全ての階級を視認可能な状態で前記表示部に表示することを特徴とするデータ表示装置。
【請求項５】
測定された測定値より得られる複数の第１変数および複数の第２変数を取得するデータ取得ステップと、
各々異なる複数の範囲を設定する範囲設定ステップと、
範囲設定ステップで設定された複数の範囲における前記データ取得ステップで取得した複数の第１変数および複数の第２変数の組の各々より、複数の２変量ヒストグラムを作成するグラフ作成ステップと、
前記グラフ作成ステップで作成された複数の２変量ヒストグラムを各々個別に表示部に表示する表示制御ステップと
を備えることを特徴とするデータ表示方法。
【発明の詳細な説明】
【技術分野】
【０００１】
本発明は、所定の時間間隔で測定された２つのデータを表示するデータ表示装置および方法に関する。
【背景技術】
【０００２】
近年、機器・計器、装置・設備の健全性を診断する技術や、診断を支援するためのシステムが提案されている。特許文献１では、機器管理装置と管理対象のフィールド機器とを通信ラインで接続し、フィールド機器の診断データを定周期で収集する機器管理システムについて開示されている。また、収集された診断データを機器管理装置の画面上に表示することについても言及されている。
【０００３】
上述した従来の技術について図９を用いて説明する。このシステムでは、フィールド機器３０１は、センサ３０２、診断データ算出部３０３、記憶部３０４、通信部３０５を備え、機器管理装置３２０は、データ収集部３２１、記憶部３２２、表示部３２３、操作部３２４、通信部３２５を備える。
【０００４】
フィールド機器３０１では、センサ３０２が収集したデータに基づいて、診断データ算出部３０３が診断データを算出する。算出された診断データはフィールド機器３０１内の記憶部３０４に保存される。機器管理装置３２０は、通信部３２５がフィールド機器３０１の通信部３０５と接続されている。フィールド機器３０１の記憶部３０４に保存されたデーを、通信部３０５と通信部３２５とによる通信で、データ収集部３２１が定周期で収集する。収集された診断データは、記憶部３２２に保存され、ユーザによる操作部３２４の操作にしたがい、表示部３２３においてグラフや表などの状態で表示される。
【０００５】
このようなシステムや装置により、機器・計器、装置・設備の健全性を診断するデータを画面に表示し、観察・分析することが可能となっている。
【０００６】
機器・計器、装置・設備等の診断に使われる診断データの中には、複数の診断データの関係が意味を持つものがある。例えば特許文献２では、調節弁などの接触摺動部を有する可動部の異常（スティックスリップ）を検出する方法として、可動部の変位から第１の状態量と第２の状態量を算出し、２つの状態量の関係から接触摺動部の異常を判断する方法が公開されている。この２つの状態量は、上述した診断データに他ならない。
【０００７】
このような２つのデータの関係を解析する際によく使われる手段として、図１０に示すような散布図がある。散布図では、組となっているデータの一方をＸ軸（水平軸）に、もう一方をＹ軸（垂直軸）に対応させ、値に対応する点に○、×、△、□などのマークを表示する。散布図は、表計算や数値計算、統計解析ソフトウェアなどでも標準的に利用できるため、広く使われている。特許文献２でも、図４、図９で散布図が使われている。
【先行技術文献】
【特許文献】
【０００８】
【特許文献１】特開２０１５−０９０５９５号公報
【特許文献２】特開平１０−０４７３１３号公報
【特許文献３】特開２００６−０７９４９１号公報
【発明の概要】
【発明が解決しようとする課題】
【０００９】
しかし、散布図は、データ数が増えてマークの数が多くなると、プロットする領域でマークの数が飽和し、データの密度の多寡がわかりにくくなるという欠点がある。特に、時間経過による分布の変化を観察する場合は表示期間が長くなり、プロットする点数が多くなるため、この欠点が顕著に現れる。場合によっては、図１１に示すように、ある期間のマークが別の期間のマークによって上書きされて隠れてしまうため、分布そのものがわからなくなってしまう。
【００１０】
このような散布図の欠点は以前にも指摘されており、その解決策も考案されている。例えば特許文献３では、散布図のマークの重なりを濃淡で表示することでこの問題を抑制しようとしている。しかしながら、この方法では、時間区間毎にマークの種類・色・濃淡を変えてプロットすることは困難であり、時間経過による分布の変化の観察・分析には対応できない。また、マークの数が大幅に増加すると重なりが増えるため、特許文献３の方法を用いても表示が飽和して点の密度の多寡が不明瞭となる。また、２つの診断データの関係の時間経過による変化を解析する場合に限らず、同様な問題が、空間内の位置による関係の変化を解析する場合においても起こりうる。
【００１１】
本発明は、以上のような問題点を解消するためになされたものであり、関連する２つのデータ間の関係における変化が、より観察および分析し易い状態とすることを目的とする。
【課題を解決するための手段】
【００１２】
本発明に係るデータ表示装置は、測定された測定値より得られる複数の第１変数および複数の第２変数を取得するデータ取得部と、各々異なる複数の範囲が設定される範囲設定部と、範囲設定部に設定された複数の範囲におけるデータ取得部が取得した複数の第１変数および複数の第２変数の組の各々より、複数の２変量ヒストグラムを作成するグラフ作成部と、グラフ作成部が作成した複数の２変量ヒストグラムを各々個別に表示部に表示する表示制御部とを備える。
【００１３】
上記データ表示装置において、第１変数および第２変数は、設定された時間間隔で測定された値より得られ、範囲設定部は、各々異なる複数の時間帯を設定する。
【００１４】
上記データ表示装置において、第１変数および第２変数は、測定対象の空間を区画した複数の領域の各々において測定された第１の物理量および第２の物理量であり、範囲設定部は、複数の領域からなる空間内の一部領域を範囲として設定する。
【００１５】
上記データ表示装置において、表示制御部は、全ての階級を視認可能な状態で表示部に表示する。
【００１６】
本発明に係るデータ表示方法は、  測定された測定値より得られる複数の第１変数および複数の第２変数を取得するデータ取得ステップと、各々異なる複数の範囲を設定する範囲設定ステップと、範囲設定ステップで設定された複数の範囲におけるデータ取得ステップで取得した複数の第１変数および複数の第２変数の組の各々より、複数の２変量ヒストグラムを作成するグラフ作成ステップと、グラフ作成ステップで作成された複数の２変量ヒストグラムを各々個別に表示部に表示する表示制御ステップとを備える。
【発明の効果】
【００１７】
以上説明したように、本発明によれば、設定された複数の範囲における取得した複数の第１変数および複数の第２変数の組の各々より、複数の２変量ヒストグラムを作成するようにしたので、関連する２つのデータ間の関係における変化が、より観察および分析し易くなるという優れた効果が得られる。
【図面の簡単な説明】
【００１８】
【図１】図１は、２変量ヒストグラムの表示例を示す説明図である。
【図２】図２は、本発明における２変量ヒストグラムの表示例を示す説明図である。
【図３】図３は、本発明の実施の形態におけるデータ表示装置の構成を示す構成図である。
【図４Ａ】図４Ａは、表示部１０４における表示例を示す構成図である。
【図４Ｂ】図４Ｂは、頻度に応じた表示形態を説明するための説明図である。
【図５】図５は、本発明の実施の形態におけるデータ表示方法を説明するためのフローチャートである。
【図６Ａ】図６Ａは、表示範囲の更新について説明するための説明図である。
【図６Ｂ】図６Ｂは、表示範囲の更新について説明するための説明図である。
【図６Ｃ】図６Ｃは、表示範囲の更新について説明するための説明図である。
【図７】図７は、２変量ヒストグラムの表示における座標について説明する説明図である。
【図８】図８は、２変量ヒストグラムの表示における座標について説明する説明図である。
【図９】図９は、従来の機器管理装置で表示される診断データの表示例を示す説明図である。
【図１０】図１０は、２つのデータの関係を示す散布図である。
【図１１】図１１は、２つのデータの関係を示す散布図である。
【発明を実施するための形態】
【００１９】
以下、本発明の実施の形態について図を参照して説明する。
【００２０】
はじめに、本発明の概念について説明する。第１変数および第２変数の各々のデータ数が多い場合でも、これらの分布を正しく認識できるようにする表示方法として、図１に示すような２次元ヒストグラム（２変量ヒストグラム）がある。２次元ヒストグラムを使えば、散布図においてマークが飽和するような状況でも、第１変数および第２変数の頻度に関する情報を適切に表示することができる。ただし、２次元ヒストグラムは複数の期間を同時に表示するのにはあまり向いていないため、これ単体では時間経過による分布の変化を観察するのは難しい。
【００２１】
このため、各々異なる複数の範囲における第１変数および第２変数について各々２次元ヒストグラムを作成し、作成した複数の２次元ヒストグラムを時間変化に対応させて表示する。例えば、作成した複数の２次元ヒストグラムを時間変化に対応させてアニメーション的に表示させる。このようにすることで、時間経過による第１変数および第２変数の分布の変化を表現する。例えば、図２に示すように、解析範囲全体の中で一定範囲だけの２次元ヒストグラムを表示し、この表示範囲を、表示範囲１，表示範囲２，表示範囲３と動かすことで分布の時間変化を観察できるようにする。
【００２２】
図３は、本発明の実施の形態におけるデータ表示装置の構成を示す構成図である。このデータ表示装置は、データ取得部１０１、範囲設定部１０２、グラフ作成部１０３、表示部１０４、表示制御部１０５、記憶部１０６、入力部１０７、座標設定部１０８を備える。
【００２３】
データ取得部１０１は、測定された測定値より得られる複数の第１変数および複数の第２変数を取得する。データ取得部１０１が取得した複数の第１変数および複数の第２変数は、記憶部１０６に記憶される。
【００２４】
第１変数および第２変数は、収集された時刻や算出された時刻のタイムスタンプと関連付けて取得される。第１変数と第２変数とが同じタイムスタンプとされているとよいが、必須ではない。例えば、一定間隔である所定の時刻毎（例えば２０１６年１月１日０時０分から１０分刻みで２０１６年１月８日０時０分まで）に、最も近いタイムスタンプを持つ第１変数と第２変数を取得すればよい。設定された時刻の前後のデータから補間することで指定時刻の第１変数および第２変数データを取得しても良い。以下の表１に取得された第１変数および第２変数の例を示す。
【００２５】
【表１】
2018040612.tif 000003
【００２６】
範囲設定部１０２は、例えば、ユーザによる入力部１０７の操作により所定の情報が入力されることにより、各々異なる複数の範囲（表示範囲）が設定される。
【００２７】
例えば、第１変数および第２変数は、設定された時間間隔で測定された値より得られ、範囲設定部１０２には、各々異なる複数の範囲（時間帯）が設定される。例えば、所定の時間間隔で測定される調節弁の弁軸変位量より１階差分値の二乗平均を算出した値を第１変数とし、弁軸変位量より２階差分値の二乗平均を算出した値を第２変数とすることができる。この場合、第１変数と第２変数とによる２変量ヒストグラムにより、可動部である弁軸の異常が判断可能となる。また、例えば流体を扱う製造プロセスにおいて、所定の時間間隔で測定される流体の圧力値の標準偏差を算出した値を第１変数とし、圧力値の周波数を算出した値を第２変数とすることができる。この場合、第１変数と第２変数とによる２変量ヒストグラムにより、プロセス流体の診断が可能となる。
【００２８】
また、第１変数および第２変数は、測定対象の空間を区画した複数の領域の各々において時系列的に測定した第１の物理量をおよび第２の物理量である。例えば、室内を複数の区画に分割し、各区画で時系列的に測定される温度を第１変数とし、各区画で時系列的に測定される湿度を第２変数とすることができる。範囲設定部１０２には、複数の領域からなる空間内の一部領域が範囲として設定される。この場合、第１変数と第２変数とによる２変量ヒストグラムの解析により、室内空調のより適切な評価が可能となる。
【００２９】
入力部１０７は、例えば、表示部１０４に設けられた位置入力装置などから構成され、表示部１０４に表示されるスクロールバー、各種入力ボタンなどである。また、入力部１０７は、キーボード、マウスなどによって操作される。
【００３０】
グラフ作成部１０３は、範囲設定部１０２に設定された複数の範囲におけるデータ取得部１０１が取得した複数の第１変数および複数の第２変数の組の各々より、複数の２変量ヒストグラム（２次元ヒストグラム）を作成する。
【００３１】
グラフ作成部１０３は、設定されている各格子（階級）の中に第１変数および第２変数が存在する頻度を算出し、２変量ヒストグラム用のデータを生成する。例えば、まず、データ取得部１０１が取得した第１の変数と第２の変数の組を対応する各格子に振り分ける。次に、格子ごとに振り分けられたデータ数を計数する。次に、各データ数をデータ総数で除して頻度とする。第１変数および第２変数のサンプリング間隔が等間隔、または等間隔に近いデータであれば、上記のような演算で十分である。サンプリング間隔に変動がある場合は、データ間の間隔を考慮して頻度を計算しても良い。もちろん、これらの方法に限るものではなく、２変量ヒストグラムが得られるならばどんな方法でも構わない。
【００３２】
表示制御部１０５は、グラフ作成部１０３が作成した複数の２変量ヒストグラムを各々個別に表示部１０４に表示する。表示部１０４における表示例を図４Ａに示す。表示部１０４における画面下側にあるスクロールバー１４１、および画面の左側の部分の入力ウインドウ１４２，入力ウインドウ１４３が入力部１０７となる。また、表示部１０４のグラフ領域１４４に２変量ヒストグラムが表示される。
【００３３】
図４Ａのグラフ領域１４４に示すように、水平軸に第１変数を、垂直軸を第２変数に対応させ、各格子の頻度がわかる形式で２変量ヒストグラムにする。例えば、図４Ｂに示すように、頻度に応じたパターンや濃淡、色を決め、グラフ内の各格子をそのパターンなどで塗りつぶして表示する。または、頻度から濃淡や色を計算する関数を決定し、決定した関数によって計算された濃淡や色を使ってグラフ内の格子を塗りつぶすようにしてもよい。例えば、ヒストグラムの最大頻度をｐとした場合に、次式を使って頻度ｐを０〜１の値に変換し、０は黒、１は白、その中間値は値に応じた灰色を割り当てるようにしてもよい。
【００３４】
なお、表示制御部１０５は、全ての階級のデータを視認可能な状態で表示部１０４のグラフ領域１４４に表示するとよい。全ての階級のデータを視認可能な状態とし、格子内に対応するデータが１つも無い状態と、データが１つある状態とが、区別して表示されるようにする。格子に対応するデータが少なくとも１つは存在したということが、観察や分析においては非常に重要な意味を持つ場合が少なくない。
【００３５】
例えば、データが１つも無い状態と少なくとも１つある状態とが区別できない状態では、散布図ではその格子内にデータが存在することがわかるが、ヒストグラムでは上記状態が判別できないことになる。これに対し、全ての階級のデータを視認可能な状態とすることで、２つの状態が区別できるようになる。例えば、図４Ｂに示す分類の場合、格子に対応するデータが１つも無い場合は一番上のパターンを使って表示し、１つでも存在する場合は上から２番目のパターンを使って表示することで、両者を区別するとよい。
【００３６】
スクロールバー１４１などの入力部１０７の操作により範囲設定部１０２が設定する表示範囲が変わり、設定された表示範囲内の２変量ヒストグラムが生成され、生成された２変量ヒストグラムがグラフ領域１４４に表示される。この処理を繰り返すことで、２変量ヒストグラムのアニメーションを実現し、第１変数および第２変数データの分布の変化を表現する。
【００３７】
入力部１０７は操作者の操作による入力を受け付け、受け付けた範囲設定の入力が範囲設定部１０２に設定される。範囲設定部１０２は、入力操作により設定された範囲に従ってグラフ領域１４４に表示する範囲（期間、空間内の領域など）を決定する。
【００３８】
このデータ表示装置の動作例（データ表示方法）について、図５のフローチャートを用いて簡単に説明する。まず、ステップＳ１０１で、データ取得部１０１が、フィールド機器で測定された測定値より得られる複数の第１変数および複数の第２変数を取得する（データ取得ステップ）。次に、ステップＳ１０２で、範囲設定部１０２が、各々異なる複数の範囲を設定する（範囲設定ステップ）。
【００３９】
次に、ステップＳ１０３で、グラフ作成部１０３が、ステップＳ１０２で設定された複数の範囲におけるステップＳ１０１で取得した複数の第１変数および複数の第２変数の組の各々より、複数の２変量ヒストグラムを作成する（グラフ作成ステップ）。次に、ステップＳ１０４で、ステップＳ１０３で作成された複数の２変量ヒストグラムを各々個別に表示部１０４のグラフ領域１４４に表示する（表示制御ステップ）。
【００４０】
上述した２変量ヒストグラムの表示処理についてはいくつかの変形が可能である。
【００４１】
［例１］
例えば、設定した解析範囲全体を自動でアニメーションさせることができる。まず、表示範囲の長さを決める。この長さは前もって決定しておいてもよい。また、図４Ａに示すように、入力部１０７となる入力ウインドウ１４２に長さを入力させる画面要素を配置し、そこから入力させてもよい。図４Ａに示した例では、１週間が表示範囲の長さとなる。
【００４２】
必須ではないが、入力部１０７には、例えば、図４Ａに示す入力ウインドウ１４３のようにアニメーションを開始するための開始ボタンおよび終了させるための終了ボタンかそれに類するものを置くことが望ましい。また、図４Ａには示していないが、一時停止ボタンを用いてもよい。
【００４３】
入力部１０７としての入力ウインドウ１４３の開始ボタンが押されるなどして入力された開始の指示により、まず、表示範囲の始点を解析範囲の始点に設定する。図４Ａの例では、表示範囲は２０１６年１月１日０時〜２０１６年１月８日０時となる。この後、所定の時間が経過したら、表示範囲を更新する。更新後、また所定の時間が経過したら再度表示範囲を更新する。この処理を、表示範囲の終点が解析範囲の終端に達するまで繰り返す。
【００４４】
更新処理間の時間間隔は、アニメーション表示の速さを決める値になるので、入力部１０７から入力できることが好ましい。例えば、図４Ａに示す入力ウインドウ１４３のように、更新間隔が５００ミリ秒と入力されていれば、５００ミリ秒ごとに更新される。
【００４５】
表示範囲の更新は、表示範囲の始点を所定の量だけ進めることで行う。この進める量は、図６Ａ，図６Ｂに示すように、表示範囲の長さ以下にすることが好ましい。例えば、表示範囲が１週間ならば、始点を１週間または１日進めるほうがよい。図６Ｃに示すように、一度に表示範囲の長さを超えて始点を進めると、表示の対象とならない領域（表示対象外）が生じるため、上述したことが重要となる。例えば、表示範囲が１週間の場合、始点を１０日ずつ進めると、更新前の終点から更新後の始点の間３日間が表示対象外となる。これを避けるためには、更新幅は、表示範囲の長さ以下にすることが重要となる。なお、表示範囲の長さは、更新中も一定に保つことが好ましい。
【００４６】
以上の処理により、範囲設定部１０２により設定される表示範囲は、所定の時間間隔で順次更新され、表示部１０４のヒストグラムがアニメーション表示される。表示範囲が終端に到達する前に終了ボタンが押されたら、表示範囲の更新処理を途中で停止してグラフ領域１４４における表示の更新を終了させる。また、一時停止ボタンが押されたら、再度開始ボタンが押されるまで表示範囲の更新処理を中断し、グラフ領域１４４の更新を一時停止する。
【００４７】
［例２］
上述の例１では、更新処理間隔を一定としたが、更新処理間隔を適宜に変更してもよい。機器・計器、装置・設備等の診断データは、製造プラントの停止などによって途中の第１変数および第２変数が欠落している場合がある。このようなデータに対して前述したように一定の更新処理間隔とすると、第１変数および第２変数が欠落している期間は、意味のある情報が表示されないため、時間が無駄になってしまう。
【００４８】
これを回避するために、範囲設定部１０２は、データ取得部１０１がデータを取得した後で、取得されたデータが何件だったかを問い合わせる。もし、データが１件もなかった場合や、２変量ヒストグラムを表示するには十分でないデータ数がなかった場合は、表示範囲の更新処理間隔を本来の時間よりも短縮する。このように短縮することで、意味のある情報が表示されない時間を短縮し、時間の無駄を抑制する。他の処理は、前述した例１と同様である。
【００４９】
［例３］
例３では、表示範囲の変更を、ユーザの指示入力（手動）により実施する。なお、例１と同様に、表示範囲の長さは決定しておく。
まず、表示範囲の始点を設定する。特に指定が無ければ解析範囲の先頭で良い。また、入力ウインドウ１４２に始点を入力させる画面要素を配置し、ユーザからの入力を受け付けてもよい。図４Ａの例では２０１６年１月１日が始点となる。
【００５０】
入力ウインドウ１４２には、表示範囲を進めるためのボタン、表示範囲を戻すためのボタンなどを配置する。また、スクロールバー１４１により、表示範囲を前後させるための入力指示を受け付ける。また、表示範囲の始点を解析範囲の先頭に動かすボタンや、表示範囲の終点を解析範囲の終点に動かすボタンがあっても良い。
【００５１】
これらのボタンやスクロールバー１４１の操作を受け付け、範囲設定部１０２は表示範囲を更新する。以下、更新方法の例を述べる。なお、いずれの場合も表示範囲の長さは変えないものとする。
【００５２】
表示範囲を進めるためのボタンが１回押される度に、表示範囲の始点を表示範囲の長さの半分だけ進める。例えば図４Ａの状態でボタンを押したら、表示範囲は２０１６年１月４日１２時〜２０１６年１月１１日１２時に変わる。
【００５３】
表示範囲を戻すためのボタンが１回押される度に、表示範囲の始点を表示範囲の長さの半分だけ戻す。例えば図４Ａの状態でボタンを押したら、表示範囲は２０１５年１２月２８日１２時〜２０１６年１月４日１２時に変わる。
【００５４】
スクロールバー１４１のつまみの位置が右側に動かされたら、動かされた幅に応じて表示範囲の始点を進める。動かされた幅が大きいほど、進める幅も大きくする。スクロールバー１４１のつまみの位置が左側に動かされたら、動かされた幅に応じて表示範囲の始点を戻す。動かされた幅が大きいほど、戻す幅も大きくする。
【００５５】
表示範囲の始点を解析範囲の先頭に動かすボタンが押されたら、表示範囲の始点を解析範囲の始点に一致させる。表示範囲の終点を解析範囲の終点に動かすボタンが押されたら、表示範囲の終点を解析範囲の終点に一致させる。
【００５６】
ところで、２変量ヒストグラムの表示は、座標の設定により分布の見易さが変化する。座標設定部１０８は、座標の設定を変更する。座標設定部１０８は、表示領域の水平軸と垂直軸を複数の区間に区切り、格子状に分割する。例えば、図７に示すように、水平軸の０から１０を１刻みにし、垂直軸の−５から５を１刻みにして、表示領域を１０×１０の１００個に分割する。この例では、水平軸、垂直軸共に等間隔に区切っている。
【００５７】
一方、第１変数および第２変数の分布によっては、対数軸で区切った方がデータが適度にばらけ、表示が見易くなる場合がある。この場合は、水平軸、垂直軸の片方、もしくは両方を対数軸で等間隔になるようにしてもよい。例えば、図８に示すように、水平軸は前述同様に区切り、垂直軸を０．１から１０００まで対数により等間隔で８つに区切るようにしてもよい。
【００５８】
例えば、特許文献２の図９では、水平軸に可動部の変位の１階差分の平均値の２乗、垂直軸に変位の１階差分の２乗の平均値を対応させて散布図をプロットしているが、両軸とも対数軸となっている。このような、対数軸で散布図を作成している診断データについては、実施の形態における２変量ヒストグラムの表示においても対数軸にすることが好ましい場合がある。
【００５９】
以上に説明したように、本発明によれば、設定された複数の範囲における取得した複数の第１変数および複数の第２変数の組の各々より、複数の２変量ヒストグラムを作成するようにしたので、関連する２つのデータ間の関係における変化が、より観察および分析し易くなる。
【００６０】
なお、本発明は以上に説明した実施の形態に限定されるものではなく、本発明の技術的思想内で、当分野において通常の知識を有する者により、多くの変形および組み合わせが実施可能であることは明白である。例えば、上述したデータ表示装置は、ＣＰＵ（Central Processing Unit；中央演算処理装置）と主記憶装置と外部記憶装置とネットワーク接続装置となどを備えたコンピュータ機器であり、主記憶装置に展開されたプログラムによりＣＰＵが動作することで、上述した各機能が実現される。また、各機能は、複数のコンピュータ機器に分散させるようにしてもよい。
【符号の説明】
【００６１】
１０１…データ取得部、１０２…範囲設定部、１０３…グラフ作成部、１０４…表示部、１０５…表示制御部、１０６…記憶部、１０７…入力部、１０８…座標設定部。
【図１】
2018040612.tif 000004
【図２】
2018040612.tif 000005
【図３】
2018040612.tif 000006
【図４Ａ】
2018040612.tif 000007
【図４Ｂ】
2018040612.tif 000008
【図５】
2018040612.tif 000009
【図６Ａ】
2018040612.tif 000010
【図６Ｂ】
2018040612.tif 000011
【図６Ｃ】
2018040612.tif 000012
【図７】
2018040612.tif 000013
【図８】
2018040612.tif 000014
【図９】
2018040612.tif 000015
【図１０】
2018040612.tif 000016
【図１１】
2018040612.tif 000017